(57)【要約】【課題】  照明光限の輝度ムラを低減し、調光印刷を施すことなく十分な照明を行うことが可能な計器照明構造を提供すること。【解決手段】  本発明は透光性を有する計器表示パネル４の裏面へ光源５の照明光を照射して計器表示パネル４に記される計器情報４ａを透光照明する計器照明構造に関する。計器照明構造は、計器情報４ａを指し示す指針８の軸９の位置に対して側方にオフセットされて設置される光源５と、光源５の照射光束を計器表示パネル４に平行な方向へ反射する反射面１１ｂを有し、先端部１１ａが光源５の真正面に位置するように設置される略逆円錐形状の第１反射部１１と、第１反射部１１により反射された平行光束を計器表示パネル４に垂直へ入射させる反射面１２ａを有し、光源５を環状中心として形成される円環状の第２反射部１２とを備えている。【選択図】  図２
2006113004.tif 000002
【特許請求の範囲】
【請求項１】
透光性を有する計器表示パネルの裏面へ光源の照明光を照射して前記計器表示パネルに記される計器情報を透光照明する計器照明構造であって、
前記計器情報を指し示す指針の軸芯位置に対して側方にオフセットされて設置される光源と、
前記光源の照射光束を前記計器表示パネルに平行な方向へ反射する反射面を有し、先端部が該光源の真正面に位置するように設置される略逆円錐形状の第１反射部と、
該第１反射部により反射された平行光束を前記計器表示パネルへ垂直に入射させる反射面を有し、前記光源を環状中心として形成される円環状の第２反射部と
を備えたことを特徴とする計器照明構造。
【発明の詳細な説明】
【技術分野】
【０００１】
本発明は、透光性を有する計器表示パネルの裏面へ光源の照明光を照射して前記計器表示パネルに記される計器情報を照明する計器照明構造に関する。
【背景技術】
【０００２】
一般的な車両の計器照明構造は、計器表示パネルの背面より照明光を照射することによって計器表示パネルに記されるスケール、数字等からなる計器情報を照明する構造となっている。
【０００３】
例えば、燃料計や水温計等の計器表示部では、計器表示パネルを照明するＬＥＤ光源と、ＬＥＤ光源より照射された照明光束を計器表示パネルに平行な方向に反射させる水平反射部と、水平方向に進む照明光束を計器表示パネルの裏面より照射して計測情報を透光照明する垂直反射部とが設けられている。
【０００４】
水平反射部は、指針の軸を中心軸とした略逆円錐形状を呈しており、その傾斜面は、湾曲面によって構成されている。なお、水平反射部の中心軸が、計器表示パネルに記される計器情報等の意匠の中心（意匠中心）となるように構成される場合もある。
【０００５】
垂直反射部は、傾斜面のバンク角度が４５度に傾斜された円環形状を呈しており、この円環形状の中心は指針の軸芯位置と一致するように形成されている。この傾斜面によって、水平反射部により水平方向に反射された照明光束が計器表示パネルに垂直な方向に反射されて計器表示パネルに入射される。
【０００６】
ＬＥＤ光源は、指針の側方であって水平反射部の反射面の下側に配設されており、ＬＥＤ光源の照射光は、水平反射部の反射面で反射されて垂直反射部へ導かれ、垂直反射部の反射面で垂直方向へ反射されて、計器表示パネルが照明される。
【０００７】
上述した構造からなる計器照明構造では、計器表示パネルに照射される照明光量が不均一になりやすく、計器表示パネルの照明光に輝度ムラが生じるおそれがあるため、計器表示パネルの機器情報が調光印刷（網点印刷）により記されていることが多い（例えば、特許文献１参照。）
【特許文献１】特開２００２−９８５５５号公報
【発明の開示】
【発明が解決しようとする課題】
【０００８】
しかしながら、計器表示パネルに調光印刷を施す必要のない照明装置が望まれている。
【０００９】
また、上述した水平反射部では、逆円錐形状を呈する水平反射部の直径が大きくなりやすいため、計器表示パネルに記されるスケール等の大きさが大きくなる傾向があり、スケール等の意匠設計の自由度が低下するという問題があった。
【００１０】
さらに、水平反射部の直径が大きくなると、計器表示プレートにおけるスケール等の表示位置を指針の軸芯中心から遠くする必要が生じるため、照明光の輝度が低下しやすいという問題もあった。
【００１１】
本発明は上記問題に鑑みてなされたものであり、照明光限の輝度ムラを低減し、調光印刷を施すことなく十分な照明を行うことが可能な計器照明構造を提供することを課題とする。
【課題を解決するための手段】
【００１２】
上記課題を解決するために、本発明に係る計器照明構造は、透光性を有する計器表示パネルの裏面へ光源の照明光を照射して前記計器表示パネルに記される計器情報を透光照明する計器照明構造であって、前記計器情報を指し示す指針の軸芯位置に対して側方にオフセットされて設置される光源と、前記光源の照射光束を前記計器表示パネルに平行な方向へ反射する反射面を有し、先端部が該光源の真正面に位置するように設置される略逆円錐形状の第１反射部と、該第１反射部により反射された平行光束を前記計器表示パネルへ垂直に入射させる反射面を有し、前記光源を環状中心として形成される円環状の第２反射部とを備えたことを特徴とする。
【発明の効果】
【００１３】
本発明に係る計器照明構造では、第１反射部の先端部が光源の真正面に位置しているので、光源の大部分の照射光が第１反射部によって効率よく第２反射部に反射され、さらに、第２反射部が光源の設置位置を環状中心として形成されているので、光源の照射光が均等に第２反射部に導かれ、第２反射部より計器表示パネルへ照射される照明光の輝度ムラが低減される。このように、照明光の輝度ムラを低減させることができるので、計器表示パネルに調光印刷（網点印刷）等を施す必要が無くなる。
【００１４】
第１反射部の先端部が光源の真正面に位置しているので、第１反射部において多光量の照射光を第２反射部に反射させることができ、照明光の照射範囲を広げること容易となる。
【実施例】
【００１５】
以下、本発明に係る計器照明構造について、図面を用いて詳しく説明する。
【００１６】
図１は、車両用メータ１の右側半分を示した概略正面図である。車両用メータ１は、タコメータ（図示省略）と、速度計２と、燃料計３と、水温計（図示量略）との４つもアナログ表示部によって構成されている。
【００１７】
図２（ａ）（ｂ）は、燃料計３を拡大して示した正面図である。燃料計３は、図２（ｂ）、図３に示すように、前面に設置される計器表示パネル４と、計器表示パネル４に照明光を照射するＬＥＤ光源５と、ＬＥＤ光源５を計器表示パネル４へ導く導光部材６と、ＬＥＤ光源５が設置される回路基板７とを有している。
【００１８】
計器表示パネル４は、透光性を有する板材等により構成されており、スケール及びＦ，Ｅ文字、燃料アイコン部等の計器情報４ａに照明光を透光させることによって運転者がこれらの計器情報４ａを容易に視認性できるように構成されている。
【００１９】
計器表示パネル４の下層には、導光部材６と回路基板７とが積層設置されている。
【００２０】
導光部材６は、図２（ｂ）、図４（ａ）〜（ｃ）に示すように、回路基板７より立設された指針８の回転軸９を貫通させる軸貫通孔部１０と、軸貫通孔部１０に対して僅かに側方にオフセットされて設置される略逆円錐形状を呈する第１反射部１１と、第１反射部１１の円錐軸Ｚを環状中心として円環状に形成された第２反射部１２とが一体に形成されている。
【００２１】
第１反射部１１は、指針８の回転軸９に対して、計器表示パネル４のスケール等４ａが記された方向にオフセットされており、指針８の回転軸９と円錐軸Ｚとは距離Ｌを保って隣接した状態となっている。第１反射部１１は、下方が鋭角であって、上方に進むにしたがって拡径する曲面によって形成されており、円錐先端部１１ａと回路基板７との間には所定距離ｒが確保されている。第１反射部１１の反射面１１ｂが曲面によって構成されているので、ＬＥＤ光源５の照射光は、反射面１１ｂで計器表示パネル４に平行な方向に反射される。
【００２２】
第２反射部１２は、第１反射部１１の直径よりも大径の円環形状を呈している。第２反射部１２の内面側に設けられる反射面１２ａは、バンク角度が４５度の傾斜面により構成されており、円錐軸Ｚを環状中心となす円環形状にこの傾斜面が形成されることによって、第１反射面１１により水平光束として反射された照射光を、計器表示パネル４の裏面へ垂直に入射させることが可能となっている。なお、第２反射部１２の端部には、傾斜面を維持する脚部１４が設けられている。
【００２３】
回路基板７は導光部材６の下層に設置されている。回路基板７には、上述したように、モータ１５の駆動に伴って回動する回転軸９が設置されており、さらに、この回動軸９近傍にＬＥＤ光源５が設置されている。回路基板７は、指針８の回転軸９を軸貫通孔部１０に貫通させて回転軸９の先端９ａを計器表示パネル４の指針用開口４ｂから突出させ、さらに、第１反射部１１の円錐先端部１１ａの真下（真正面）にＬＥＤ光源５が位置するようにして設置される。また、導光部材６は、第２反射部１２の反射面１２ａの上方に、計器表示パネル４のスケール、Ｆ，Ｅ文字等の計器情報４ａが位置するように設置される。
【００２４】
このように、計器表示パネル４と導光部材６と回路基板７とを積層設置させることによって、ＬＥＤ光源５の照射光が、第１反射部１１の反射面１１ｂに当たって計器表示パネル４に平行な方向（水平方向）に反射される。そして水平方向に反射された照明光束は第２反射部１２の反射面１２ａにより計器表示パネル４の裏面へ照明光が垂直に入射されるように反射され、この反射光が計器表示パネル４のスケール等を背面より照明し計器情報４ａの視認性を高めている。
【００２５】
特に、本発明に係る計器照明構造では、第１反射部１１の円錐先端部１１ａの真下（真正面）にＬＥＤ光源５が位置しているので、ＬＥＤ光源５の大部分の照射光が第１反射部１１によって効率よく第２反射部１２に反射される。さらに、第２反射部１２が第１反射部１１の円錐軸Ｚ、つまりＬＥＤ光源５の設置位置を環状中心として形成されているので、ＬＥＤ光源５の照射光が均等に第２反射部１２に導かれ、第２反射部１２より計器表示パネル４へ照射される照明光の輝度ムラが低減される。このように、照明光が輝度ムラなく計器表示パネル４に照射されるので、計器表示パネル４に表示ムラがなく、調光印刷（網点印刷）等を施す必要が無くなる。
【００２６】
また、第１反射部１１の円錐先端部１１ａの真下（真正面）にＬＥＤ光源５が位置しており、第１反射部１１の円錐の直径を小さくしても十分な光量を第２反射部１２に導くことができるので、第１反射部１１を小さくすることが可能となり計器表示パネル４に記されるスケール径を小径化することが容易となる。さらに、ＬＥＤ光源５の照射光を効率よく第２照射部１２へ導光することができるので、照射範囲を広げることも容易となり、計器表示パネル４のスケール径を大径化することも容易となる。
【００２７】
さらに、第１反射部１１の円錐先端部１１ａの真下（真正面）にＬＥＤ光源５が位置しており、第１反射部１１で多光量の照明光を第２反射部１２に導くことができるので、照明可能範囲を広げることが可能となる。
【００２８】
また、ＬＥＤ光源５が第１照射部１１の円錐先端部１１ａの真下（真正面）に位置するので、第１反射部１１の反射面１１ｂを用いることによって、１つのＬＥＤ光源５で３６０度均等に照明光を照射させることが可能となる。
【００２９】
以上、本発明に係る計器照明機構について説明をしたが、本発明に係る計器照明機構は上述した構成に限定されるものではない。例えば、光源はＬＥＤ光源５に限定されず、バルブ光源等であっても良く、光源中心が第１反射部の円錐先端部の真正面に設置される構成であれば同様の効果を奏することが可能となる。
【図面の簡単な説明】
【００３０】
【図１】本発明に係る計器照明構造を用いた車両用メータを示した概略正面図である。
【図２】（ａ）燃料計部分を示した拡大正面図であり、（ｂ）は（ａ）に示す拡大正面図に破線で導光部材の位置を示した図である。
【図３】本発明に係る計器照明構造を用いた車両用メータを示した概略断面図である。
【図４】反射部材を示した図であって、（ａ）は平面図、（ｂ）は断面図、（ｃ）斜視図を示したものである。
【符号の説明】
【００３１】
４  計器表示パネル
４ａ  計器情報
５  ＬＥＤ光源（光源）
６  反射部材
８  指針
９  回転軸（軸）
１０  軸貫通孔部
１１  第１反射部（水平反射部）
１１ａ  円錐先端部（先端部）
１１ｂ  反射面
１２  第２反射部（垂直反射部）
１２ａ  反射面
【図１】
2006113004.tif 000003
【図２】
2006113004.tif 000004
【図３】
2006113004.tif 000005
【図４】
2006113004.tif 000006